(57)【要約】【課題】インクカートリッジの交換作業の回数を減らす。【解決手段】インク残量算出部３０７が、インクジェットヘッド１１０から吐出されたインクの吐出量に基づいて、インク色毎にインクジェットボトル１５１内のインク残量を算出し、クリーニング制御部３０８が、インク色毎に、インク残量が第１の所定量より小さい第２の所定量以上であり、かつ、第１の所定量以下である場合に、第１のクリーニング周期より長い第２のクリーニング周期でクリーニング部３０９にクリーニング処理を実行させ、クリーニング部３０９が、インクジェットヘッド１１０によるインクの吐出に基づいて定められた第１のクリーニング周期または第２のクリーニング周期で、インクジェットヘッド１１０からノズル群を洗浄するために必要な所定量のインクを吐出させることにより、インク色毎にクリーニング処理を実行する。【選択図】図２
2015208973.tif 000002
【特許請求の範囲】
【請求項１】
ノズル群が設けられ、搬送される用紙に対して前記ノズル群からインクを吐出することにより印字し、インク色毎に設けられたインクジェットヘッドと、
前記インクジェットヘッドにインクを供給しインク色毎に設けられたインクボトルと、
前記インクジェットヘッドに対して、第１のクリーニング周期で、第１の所定量のインクを吐出させることにより、インク色毎にクリーニング処理を実行するクリーニング手段と、
インクボトル内のインク残量をインク色毎に算出するインク残量算出手段と、
インク色毎に、前記インク残量算出手段により算出されたインク残量が、前記第１の所定量より小さく、前記インクジェットヘッドの洗浄を少なくとも１回行うのに必要なインク量である第２の所定量以上であり、かつ、前記第１の所定量以下である場合に、前記第１のクリーニング周期より長い第２のクリーニング周期で前記クリーニング手段に前記クリーニング処理を実行させるクリーニング制御手段と、
を備えたことを特徴とするインクジェット印刷装置。
【請求項２】
インク色毎に、前記インク残量算出手段により算出されたインク残量が、前記第１の所定量以下となるか否かを判定する判定手段と、
前記判定手段により、前記第１の所定量以下となったインク色のインクボトルがある場合に、前記インクボトルに対応するインクジェットヘッドを除いた他のインクジェットヘッドを用いて、印字を行うように前記他のインクジェットヘッドを制御する印字制御手段を、
さらに備えたことを特徴とする請求項１記載のインクジェット印刷装置。
【請求項３】
印刷ジョブに基づいて生成された第１の色空間の画像データに対して、前記インクジェットヘッドに印字制御させるための第２の色空間の画像データに色変換する色変換手段と、
前記色変換を示す色変換テーブルを、前記第２の色空間を異ならせて、複数記憶する色空間テーブル記憶手段と、
前記第１の所定量以下となったインク色以外のインク色に基づいて、前記色空間テーブル記憶手段に記憶された複数の色空間テーブルのうち、所定の色空間テーブルを選択する選択手段とを備え、
前記印字制御手段は、前記色変換手段により前記所定の色空間テーブルを用いて変換された第２の色空間の画像データに基づいて、前記他のインクジェットヘッドを制御することを特徴とする請求項２に記載のインクジェット印刷装置。
【発明の詳細な説明】
【技術分野】
【０００１】
本発明は、インクカートリッジの交換作業の回数を極力減らすインクジェット印刷装置に関する。
【背景技術】
【０００２】
インクジェット印刷装置は、インクジェットヘッドの正常な吐出状態を維持するためにクリーニング処理を実行する。具体的には、複数のノズルが形成されたインクジェットヘッドのインク吐出面からインクを強制的に排出するパージを行い、排出されたインクとともに、インク吐出面に付着したゴミ等をワイパブレードで払拭する。
【０００３】
例えば、特許文献１には、使用頻度に応じてノズルのクリーニング周期をそれぞれ設定し、クリーニングの少なくてよいものに対してはクリーニング回数を抑制するインクジェットプリンタのノズルクリーニング方法に関する技術が提案されている。
【先行技術文献】
【特許文献】
【０００４】
【特許文献１】特開平８−２４４２４４号公報
【発明の概要】
【発明が解決しようとする課題】
【０００５】
しかしながら、上述の特許文献１に記載のノズルクリーニング方法では、使用頻度に応じてノズルのクリーニング周期をそれぞれ設定するので、使用頻度が高い、即ち、インクを多く吐出しているノズルについてクリーニング回数が多くなるように設定される。そのため、使用頻度が高いインクほど早くなくなることになる。
【０００６】
インクがなくなるとユーザはインクカートリッジを交換する必要があるが、インク色毎インク消費の速度が異なるとインクがなくなるタイミングも異なるので、インク色毎にインクがなくなる都度インクカートリッジを交換する必要がある。
【０００７】
ユーザにとってこのインクカートリッジの交換作業は煩わしく、インク色毎ではなく極力同じタイミングでインクカートリッジを交換することで、交換作業の回数を減らすことが切望されていた。
【０００８】
一方で、むやみに交換作業の回数を減らすと、ノズルの閉塞など印刷品質に悪影響を及ぼしてしまう場合がある。
【０００９】
本発明は、上記課題に鑑みてなされたものであり、印刷品質への悪影響を抑制しながら、インクカートリッジの交換作業の回数を極力減らすことができるインクジェット印刷装置を提供することを目的とする。
【課題を解決するための手段】
【００１０】
上記目的を達成するため、本発明に係るインクジェット印刷装置の第１の特徴は、ノズル群が設けられ、搬送される用紙に対して前記ノズル群からインクを吐出することにより印字し、インク色毎に設けられたインクジェットヘッドと、前記インクジェットヘッドにインクを供給しインク色毎に設けられたインクボトルと、前記インクジェットヘッドに対して、第１のクリーニング周期で、第１の所定量のインクを吐出させることにより、インク色毎にクリーニング処理を実行するクリーニング手段と、インクボトル内のインク残量をインク色毎に算出するインク残量算出手段と、インク色毎に、前記インク残量算出手段により算出されたインク残量が、前記第１の所定量より小さく、前記インクジェットヘッドの洗浄を少なくとも１回行うのに必要なインク量である第２の所定量以上であり、かつ、前記第１の所定量以下である場合に、前記第１のクリーニング周期より長い第２のクリーニング周期で前記クリーニング手段に前記クリーニング処理を実行させるクリーニング制御手段と、を備えたことにある。
【００１１】
本発明に係るインクジェット印刷装置の第２の特徴は、インク色毎に、前記インク残量算出手段により算出されたインク残量が、前記第１の所定量以下となるか否かを判定する判定手段と、前記判定手段により、前記第１の所定量以下となったインク色のインクボトルがある場合に、前記インクボトルに対応するインクジェットヘッドを除いた他のインクジェットヘッドを用いて、印字を行うように前記他のインクジェットヘッドを制御する印字制御手段を、さらに備えたことにある。
【００１２】
本発明に係るインクジェット印刷装置の第３の特徴は、印刷ジョブに基づいて生成された第１の色空間の画像データに対して、前記インクジェットヘッドに印字制御させるための第２の色空間の画像データに色変換する色変換手段と、前記色変換を示す色変換テーブルを、前記第２の色空間を異ならせて、複数記憶する色空間テーブル記憶手段と、前記第１の所定量以下となったインク色以外のインク色に基づいて、前記空間テーブル記憶手段に記憶された複数の色空間テーブルのうち、所定の色空間テーブルを選択する選択手段とを備え、前記印字制御手段は、前記色変換手段により前記所定の色空間テーブルを用いて変換された第２の色空間の画像データに基づいて、前記他のインクジェットヘッドを制御することにある。
【発明の効果】
【００１３】
本発明に係るインクジェット印刷装置の第１の特徴によれば、インクジェットヘッドに対して、第１のクリーニング周期で、インクジェットヘッドの洗浄を少なくとも１回行うのに必要なインク量である第１の所定量のインクを吐出させることにより、インク色毎にクリーニング処理を実行するクリーニング手段と、インクボトル内のインク残量をインク色毎に算出するインク残量算出手段と、インク色毎に、インク残量算出手段により算出されたインク残量が、第１の所定量より小さく前記インクジェットヘッドの洗浄を少なくとも１回行うのに必要なインク量である第２の所定量以上であり、かつ、第１の所定量以下である場合に、第１のクリーニング周期より長い第２のクリーニング周期でクリーニング手段にクリーニング処理を実行させるクリーニング制御手段とを備えている。これにより、インク色毎に、第１の所定量以下となるまでは、通常の速度でクリーニングによるインクが消費し、第１の所定量以下となり、第１の所定量より小さい第２の所定量に達するまでは、インクを節約して遅い速度でインクを消費させるので、全色についてほぼ同時期にインクがなくなる。そのため、ユーザは、全色のインクカートリッジに対して同時に交換すればよいので、インクカートリッジの交換作業の回数を極力減らすことができる。また、第１の所定量以下となり、第１の所定量より小さい第２の所定量に達するまでは、クリーニングを実行しながら印刷を継続することができる。即ち、クリーニング処理を停止することなく、第２のクリーニング周期でクリーニング手段にクリーニング処理を実行させるので、ノズルの閉塞など印刷品質に悪影響を及ぼすことを防止することができる。
【００１４】
本発明に係るインクジェット印刷装置の第２の特徴によれば、インク色毎に、インク残量算出手段により算出されたインク残量が、第１の所定量以下となるか否かを判定する判定手段と、判定手段により、第１の所定量以下となったインク色のインクボトルがある場合に、インクボトルに対応するインクジェットヘッドを除いた他のインクジェットヘッドを用いて、印字を行うように他のインクジェットヘッドを制御する印字制御手段をさらに備えたので、印刷を停止することなく、インク残量が多いインクを用いて印刷を継続させることができる。
【００１５】
本発明に係るインクジェット印刷装置の第３の特徴によれば、印刷ジョブに基づいて生成された第１の色空間の画像データに対して、インクジェットヘッドに印字制御させるための第２の色空間の画像データに色変換する色変換手段と、色変換を示す色変換テーブルを、第２の色空間を異ならせて、複数記憶する色空間テーブル記憶手段と、第１の所定量以下となったインク色以外のインク色に基づいて、空間テーブル記憶手段に記憶された複数の色空間テーブルのうち、所定の色空間テーブルを選択する選択手段とを備え、印字制御手段は、色変換手段により所定の色空間テーブルを用いて変換された第２の色空間の画像データに基づいて、他のインクジェットヘッドを制御するので、第１の所定量以下となったインクがある場合においても、第１の色空間の画像データから第２の色空間の画像データに適切に変換することができるので、第１の所定量以下となっていないインクを用いて、印刷品質の劣化を抑制することができる。
【図面の簡単な説明】
【００１６】
【図１】本発明の実施例に係るインクジェット印刷装置の構成を説明した図である。
【図２】本発明の実施例に係るインクジェット印刷装置が備える制御部の機能を説明した説明図である。
【図３】本発明の実施例に係るインクジェット印刷装置における電源オン処理の処理手順を示したフローチャートである。
【図４】本発明の実施例に係るインクジェット印刷装置における省インク処理の処理手順を示したフローチャートである。
【図５】本発明の実施例に係るインクジェット印刷装置においてインク交換節約モードが設定されているときのインクの消費を説明した図である。
【発明を実施するための形態】
【００１７】
以下、本発明の実施の形態を、図面を参照しながら詳細に説明する。
【００１８】
本発明の実施例では、色毎にインクが貯留されたインクボトルが設けられたインクカートリッジを備え、インクボトルからインクジェットヘッドにインクが供給され、インクを吐出することで印刷するインクジェット印刷装置を例に挙げて説明する。
【００１９】
＜インクジェット印刷装置の構成＞
図１は、本発明の実施例に係るインクジェット印刷装置１の構成を説明した図である。
【００２０】
図１に示すように、インクジェット印刷装置１は、Ｃ（シアン）、Ｍ（マゼンタ）、Ｙ（イエロー）、Ｋ（ブラック）のインクに対応するインクジェットヘッド１１０Ｃ，１１０Ｍ，１１０Ｙ，１１０Ｋを備えており、用紙は、インクジェットヘッド１１０Ｃ，１１０Ｍ，１１０Ｙ，１１０Ｋの対向面に設けられた環状の搬送ベルト（図示しない）によって印刷条件により定められる速度で搬送されながら、インクジェットヘッド１１０Ｃ，１１０Ｍ，１１０Ｙ，１１０Ｋの備えられたノズル群から吐出されたインクによりライン単位で印刷される。
【００２１】
各インクは着脱可能なインクカートリッジに設けられたインクボトルから供給されるようになっており、Ｃ（シアン）のインクを供給するインクボトル１５１Ｃ、Ｍ（マゼンタ）のインクを供給するインクボトル１５１Ｍ、Ｙ（イエロー）のインクを供給するインクボトル１５１Ｙ、Ｋ（ブラック）のインクを供給するインクボトル１５１Ｋが備えられている。なお、以下においてインク色にこだわらない場合にはインクボトル１５１で代表させて説明する。他の機能部についても同様である。
【００２２】
インクボトル１５１から供給されたインクは、樹脂、金属等のパイプにより形成されたインク循環経路を通って、インクジェットヘッド１１０の下流側に設けられた下流タンクに一旦溜められる。このため、インクジェット印刷装置１には、Ｃ（シアン）のインクを溜める下流タンク１２０Ｃ、Ｍ（マゼンタ）のインクを溜める下流タンク１２０Ｍ、Ｙ（イエロー）のインクを溜める下流タンク１２０Ｙ、Ｋ（ブラック）のインクを溜める下流タンク１２０Ｋが備えられている。
【００２３】
インクジェット印刷装置１には、ポンプ１７０Ｃ、ポンプ１７０Ｍ、ポンプ１７０Ｙ、ポンプ１７０Ｋおよび上流タンク１３０Ｃ、上流タンク１３０Ｍ、上流タンク１３０Ｙ、上流タンク１３０Ｋが備えられている。下流タンク１２０に溜められたインクは、ポンプによりインクジェットヘッド１１０の上流側に設けられた上流タンクに送られる。上流タンク１３０に送られたインクは、インクを吐出する多数のノズルが設けられているインクジェットヘッド１１０に送液される。
【００２４】
上流タンク１３０は共通空気室１７２と接続されている。共通空気室１７２には、ポンプ１７３および図示しない大気開放弁が備えられており、大気開放弁を全閉してポンプ１７３により上流タンク１３０に空気を送り込んだり、大気開放弁を全開して大気圧にしたりすることにより、上流タンク１３０内の空気の圧力を調整する。
【００２５】
インクジェットヘッド１１０で吐出されなかったインクは、下流タンク１２０に戻される。上流タンク１３０からインクジェットヘッド１１０を経由して下流タンク１２０へのインク帰還は、上流タンク１３０と下流タンク１２０との水頭差を利用している。
【００２６】
インクは印刷品質が保証される温度範囲が定められており、環境温度が低く、インク温度が印刷可能である下限温度を下回っているとインクを加熱する必要がある。一方、インクジェットヘッド１１０内に設けられたドライバやピエゾ素子は動作することにより発熱し、これらの発熱やインク振動のジュール熱により、高温時におけるインク温度上昇の影響等を抑制する必要がある。そこで、インク循環経路上に、温度調節器１６１が設けられており、温度調節器１６１により、インクは、加温又は冷却される。
【００２７】
また、インクジェット印刷装置１は、中枢的な制御を行う制御部１０を備えている。
【００２８】
図２は、本発明の実施例に係るインクジェット印刷装置１が備える制御部１０の機能を説明した説明図である。
【００２９】
図２に示すように、インクジェット印刷装置１には、ネットワークを通じて受信されたデータを印刷するためのモジュールである通信インターフェース２０１と、ユーザの操作を受け付ける操作パネル２０２と、制御部１０と、インクジェットヘッド１１０とを備えている。
【００３０】
通信インターフェース２０１は、図示しないユーザ端末との間でデータの送受信を行う通信インターフェースであり、例えば、有線・無線ＬＡＮやシリアル方式、ＵＳＢ方式等によりデータの通信を行うことにより、印刷ジョブを受信する。
【００３１】
操作パネル２０２は、ユーザによる指示操作や設定操作を受け付けるモジュールであり、本実施形態においては、例えば、インク交換節約モードを設定する操作を行うための情報が表示可能なタッチパネルを備えている。
【００３２】
制御部１０は、その機能上、印刷ジョブ受信部３０１と、印刷ジョブ記憶部３０２と、画像処理部３０３と、色空間テーブル記憶部３０４と、印字制御部３０５と、操作信号取得部３０６と、インク残量算出部３０７と、クリーニング制御部３０８と、クリーニング部３０９と、インク残量記憶部３１１とを備えている。
【００３３】
印刷ジョブ受信部３０１は、ページ記述言語などで記述された印刷ジョブを受信し、受信した印刷ジョブを印刷ジョブ記憶部３０２に記憶させるモジュールである。例えば、通信インターフェース１０２を通じて接続されたユーザ端末（図示しない）から画像データを含む印刷ジョブが入力され、印刷ジョブ記憶部３０２に記憶させる。この印刷ジョブ受信部３０１に入力される印刷ジョブに含まれる画像データは、文字や写真を示すデータであり、例えば、ベクター形式のデータやアウトラインフォントなどのデータで表される。また、色空間としては、ＲＧＢ表色系や、Ｌ＊ａ＊ｂ＊表色系で表されている。
【００３４】
印刷ジョブ記憶部３０２は、電源の供給が遮断されると記憶されたデータが消去される揮発性のメモリである。この印刷ジョブ記憶部３０２には、ユーザ端末から送信されて受信した印刷ジョブが保存される。
【００３５】
画像処理部３０３は、画像処理に特化したディジタル信号処理を行う演算処理装置であり、印刷ジョブ記憶部３０２に記憶されている印刷ジョブから画像データを抽出し、抽出した画像データに対して、後述する色空間テーブル記憶部３０４に記憶された色空間テーブルを用いてRIP処理（色変換およびビットマップ変換）を実行することにより、ベクター形式のデータやアウトラインフォントなどのデータから、ビットマップ形式の画像データを生成するモジュールである。
【００３６】
色空間テーブル記憶部３０４は、例えば、ハードディスクドライブとして構成され、画像データをＲＧＢデータ（第１の色空間の画像データ）からＣＭＹＫデータ（第２の色空間の画像データ）へ色変換するための色空間テーブルを記憶している。さらに、色空間テーブル記憶部３０４には、ＣＭＹＫのうち、１以上の色を用いずに印刷するための色空間テーブルも記憶している。例えば、ＲＧＢデータからＣを用いないＭＹＫデータへ色変換するための色空間テーブルや、ＲＧＢデータからＭを用いないＣＹＫデータへ色変換するための色空間テーブルや、ＲＧＢデータからＹを用いないＣＭＫデータへ色変換するための色空間テーブルを記憶している。さらに、用いないインク色は、１色とは限らず２色でもよい。例えば、ＲＧＢデータからＣ，Ｍを用いないＹＫデータへ色変換するための色空間テーブルや、ＲＧＢデータからＭ，Ｙを用いないＣＫデータへ色変換するための色空間テーブルなどが記憶されている。３色を用いない場合は、残りの１色のインクを用いて印刷することができる。これらの色空間テーブルは、色再現性が極力高くなるような値が予め設定されている。
【００３７】
印字制御部３０５は、各色のインクジェットヘッド１１０の駆動や、搬送経路の駆動手段の動作を制御し、画像形成処理全体を制御するモジュールであり、スケジューリングに従ったタイミング及び印字速度で画像形成を行う。より具体的には、印字制御部３０５は、画像処理部３０３により生成された画像データに基づいて、搬送される用紙に対して、インクジェットヘッド１１０Ｃ，１１０Ｍ，１１０Ｙ，１１０Ｋからインクを吐出することによりライン単位で印刷する。また、インク色毎に、後述するインク残量算出部３０７により算出されたインク残量が、第１の所定量以下となった場合に、第１の所定量以下となっているインクを除外して印字するようにインクジェットヘッドを制御する。
【００３８】
操作信号取得部３０６は、操作パネル２０２を通じて、ユーザによる操作信号を受信するモジュールであり、受信した操作信号を解析し、ユーザ操作に応じた処理を他のモジュールに実行させる。特に、本実施形態において、この操作信号取得部３０６は、操作パネル２０２などから、印刷処理の指示操作を受け付けたり、ユーザによるインク交換節約モードに関する指示操作や設定操作を受け付けたりするモジュールである。
【００３９】
インク残量算出部３０７は、インクジェットヘッド１１０Ｃ，１１０Ｍ，１１０Ｙ，１１０Ｋから吐出されたインクの吐出量に基づいて、インク色毎にインクジェットボトル１５１Ｃ，１５１Ｍ，１５１Ｙ，１５１Ｋ内のインク残量を算出する。
【００４０】
クリーニング制御部３０８は、インク色毎に、インク残量算出部３０７により算出されたインク残量が、第１の所定量より小さく、インクジェットヘッドの洗浄を少なくとも１回行うのに必要なインク量である第２の所定量以上であり、かつ、第１の所定量以下である場合に、第１のクリーニング周期より長い第２のクリーニング周期でクリーニング部３０９にクリーニング処理を実行させる。ここで、第１のクリーニング周期とは、インク残量算出部３０７により算出されたインク残量が、第１の所定量を超えているときに短い周期として例えば、１０００（枚）として設定される値であり、第２のクリーニング周期とは、第１のクリーニング周期より長い周期として、例えば、３０００（枚）として設定される値である。
【００４１】
クリーニング部３０９は、インクジェットヘッド１１０Ｃ，１１０Ｍ，１１０Ｙ，１１０Ｋによるインクの吐出に基づいて定められた第１のクリーニング周期または第２のクリーニング周期で、インクジェットヘッド１１０Ｃ，１１０Ｍ，１１０Ｙ，１１０Ｋからノズル群を洗浄するために必要な所定量のインクを吐出させることにより、インク色毎にクリーニング処理を実行する。
【００４２】
インク残量記憶部３１１は、インク色毎に、インクボトル１５１内に残っているインク残量を記憶している。
【００４３】
判定部３１２は、インク色毎に、インク残量算出部３０７により算出されたインク残量が、第１の所定量以下となるか否かを判定する。
【００４４】
＜インクジェット印刷装置の作用＞
次に、本発明の実施例に係るインクジェット印刷装置１の作用について説明する。
【００４５】
ここでは、本発明の実施例に係るインクジェット印刷装置１において主に実行される、電源オン時に実行される電源オン処理、およびインク交換節約モードが設定された際に実行されるインク交換節約処理について、説明する。
【００４６】
≪電源オン処理≫
図３は、本発明の実施例に係るインクジェット印刷装置１における電源オン処理の処理手順を示したフローチャートである。
【００４７】
図３に示すように、本発明の実施例に係るインクジェット印刷装置１は、まず、ユーザにより本体装置の電源オンスイッチが押下操作されると（ステップＳ１０１；ＹＥＳ）、制御部１０が、クリーニング周期として、印字制御部３０５により用紙に“１０００”（枚）が印刷されるとクリーニング処理が実行されるように設定する（ステップＳ１０５）。
【００４８】
そして、電源がオフされていない場合（ステップＳ１０７；ＮＯ）、制御部１０は、通信インターフェース２０１を介して印刷ジョブを受信したか否かを判定する（ステップＳ１０９）。
【００４９】
ステップＳ１０９において、印刷ジョブを受信したと判定した場合（ＹＥＳ）、印刷を実行すると共に、各インク色に印刷枚数をカウント開始する（ステップＳ１１１）。具体的には、画像処理部３０３が、印刷ジョブ記憶部３０２に記憶されている印刷ジョブから画像データを抽出し、抽出した画像データに対して、色空間テーブル記憶部３０４に記憶された色空間テーブルを用いてＲＩＰ処理（色変換およびビットマップ変換）を実行することにより、ベクター形式のデータやアウトラインフォントなどのデータから、ビットマップ形式の画像データ生成する。そして、印字制御部３０５が、画像処理部３０３により生成された画像データに基づいて、インクジェットヘッド１１０Ｃ，１１０Ｍ，１１０Ｙ，１１０Ｋからインクを吐出することにより用紙に印刷する。そして、制御部１０は、各インク色に印刷された用紙の枚数のカウントを行う。ここで、後述するように、ステップＳ１２１においてインク色毎にクリーニング処理され、ステップＳ１２３においてカウントされる印刷枚数をリセットする必要があるので、カウントされる印刷枚数は、インク色毎に行う。
【００５０】
クリーニング部３０９は、インク色毎に、前回のクリーニング処理を実行してからカウントした印刷された用紙の枚数が、クリーニング周期に達したか否かを判定する（ステップＳ１１９）。ここで、各インクに対応して設定されているクリーニング周期は、図３のフローチャートのステップＳ１０５において設定された“１０００”（枚）か、または後述する省インク処理において設定される“３０００”（枚）のいずれかが設定されている。
【００５１】
ステップＳ１１９において、前回のクリーニング処理を実行してからの印刷枚数、即ち、後述するステップＳ１２３において印刷枚数がリセットされてから、ステップＳ１１１で算出された印刷ジョブによる各インク色の印刷枚数が、各インクに対応して設定されているクリーニング周期に達したと判定された場合（ＹＥＳ）、クリーニング部３０９は、クリーニング周期に達したと判定されたインクのインクジェットヘッドのクリーニング処理を実行する（ステップＳ１２１）。具体的には、クリーニング部３０９は、クリーニング周期に達したと判定されたインクのインクジェットヘッドから、ノズル群を洗浄するために必要な所定量のインクを吐出させるパージを行い、排出されたインクとともに、インク吐出面に付着したゴミ等を図示しないワイパブレードで払拭する。
【００５２】
次に、クリーニング処理を実行したインクジェットヘッドに対応するインクの印刷枚数をリセットする（ステップＳ１２３）。
【００５３】
次に、インク残量算出部３０７が、ステップＳ１１１の処理において使用されたインク色毎のインク吐出量を算出する（ステップＳ１２５）。
【００５４】
そして、インク残量算出部３０７が、インク色毎のインク残量を算出する（ステップＳ１２７）。具体的には、インク残量算出部３０７は、インク残量記憶部３１１に記憶されているインク色毎のインク残量から、ステップＳ１２５において算出したインクの吐出量を減算することにより、インクボトル１５１に残っているインク残量を新たなインク残量として算出し、インク残量記憶部３１１に上書きする。
【００５５】
そして、判定部３１２は、インク残量記憶部３１１に記憶されたインク残量が、第１の所定量より少ない第２の所定量未満となったインクがあるか否かを判定する（ステップＳ１２９）。
【００５６】
ステップＳ１２９において、インク色毎のインク残量が第２の所定量未満となった場合（ＹＥＳ）、インクジェットヘッド１１０のクリーニング処理を実行不可となるので、極力早くインクカートリッジを交換する必要がある。
【００５７】
そこで、制御部１０は、操作パネル２０２に、インクカートリッジの交換が必要な旨のメッセージを表示させる（ステップＳ１３１）。
【００５８】
このように、あるインクが、第２の所定量未満となるまで、ステップＳ１０９〜Ｓ１３１の処理を繰り返し実行することにより、インクジェットヘッド１１０Ｃ，１１０Ｍ，１１０Ｙ，１１０Ｋ毎に、適切なクリーニング周期でクリーニング処理を実行することができる。
【００５９】
≪インク交換節約処理≫
図４は、本発明の実施例に係るインクジェット印刷装置１におけるインク交換節約処理の処理手順を示したフローチャートである。
【００６０】
図４に示すように、制御部１０は、インク交換節約モードが設定されたか否かを判定する（ステップＳ２０１）。具体的には、操作パネル２０２から、ユーザがインク交換節約モードを設定する操作を行ったか否かを判定する。
【００６１】
次に、インク残量算出部３０７は、インク毎のインク残量を算出する（ステップＳ２０７）。具体的には、インク残量算出部３０７は、インク残量記憶部３１１に記憶されているインク毎のインク残量から、図３に示した電源オン処理のフローチャートのステップＳ１２５において記憶したインクの吐出量を減算することにより、インクボトル１５１に残っているインク残量を新たなインク残量として算出し、インク残量記憶部３１１に上書きする。
【００６２】
そして、判定部３１２は、インク残量算出部３０７により算出されたインク毎に、インク残量が第１の所定量以下となっているインクがあるか否かを判定する（ステップＳ２０９）。
【００６３】
ステップＳ２０９において、インク残量が第１の所定量以下となっているインクがあると判定された場合（ＹＥＳ）、第１の所定量以下となっているインクに対応するインクボトル１５１には、数回程度のクリーニング処理を実行する量しかインクが残存していないので、インクを消費するスピードを低下させる必要がある。
【００６４】
そこで、クリーニング制御部３０８は、第１の所定量以下となっているインクのクリーニング周期を、“１０００”（枚）から、“３０００”（枚）に変更する（ステップＳ２１１）。なお、既に第１の所定量以下となっているインクのクリーニング周期が“３０００”（枚）に設定されている場合には、“３０００”（枚）の設定を維持する。
【００６５】
さらに、第１の所定量以下となっているインクを除外して印刷するよう設定する（ステップＳ２１３）。例えば、第１の所定量以下となっているがＣ（シアン）インクである場合、画像処理部３０３は、色空間テーブル記憶部３０４から、ＲＧＢデータからＣを用いないＭＹＫデータへ色変換するための色空間テーブルを選択して読み込み、この読み込んだ色空間テーブルを用いて、ＲＧＢデータをＭＹＫデータへ色変換すると共に、ベクター形式のデータやアウトラインフォントなどのデータから、ビットマップ形式の画像データ生成する。そして、印字制御部３０５が、画像処理部３０３により生成されたビットマップ形式のＭＹＫデータに基づいて、インクジェットヘッド１１０Ｃを除くインクジェットヘッド１１０Ｍ，１１０Ｙ，１１０Ｋからインクを吐出することにより用紙に印刷するよう設定する。
【００６６】
これにより、インク残量が少ないと判定されたインクについて、クリーニング処理によるインクの消費を抑制するとともに、印刷処理によるインクの消費をゼロにすることができる。
【００６７】
次に、制御部１０は、所定時間経過後（ステップＳ２１５；ＹＥＳ）、インク交換節約モードが解除されたか否かを判定する（ステップＳ２１７）。
【００６８】
ステップＳ２１７において、インク交換節約モードが解除されたと判定された場合（ＹＥＳ）、全インクのクリーニング周期を１０００（枚）に戻す（ステップＳ２１９）。
【００６９】
また、ステップＳ２１７において、インク交換節約モードが解除されたと判定されるまで（ステップＳ２２１；ＹＥＳ）、ステップＳ２０７〜Ｓ２１７の処理を繰り返し実行することにより、インク色毎にインクボトル内の貯留されているインク残量に応じて、適切なタイミングでクリーニング処理を実行できるようにクリーニング周期を設定することができる。さらに、インク残量が少ないインクの消費スピードを低減するために、インク色毎に、インク残量が少ないインクを印刷に用いないように設定することができる。
【００７０】
図５（ａ）〜（ｃ）は、本発明の実施例に係るインクジェット印刷装置１においてインク交換節約モードが設定されているときのインクの消費を説明した図である。ｘ軸は、Ｃ（シアン）、Ｍ（マゼンタ）、Ｙ（イエロー）、Ｋ（ブラック）を示し、ｙ軸は、インク残量を示しており、それぞれのプロットから下方向に伸びる矢印は、インクの消費の速度を示している。即ち、矢印の長さが長いほど消費の速度が速く、短いほど消費の速度が遅いことを示している。
【００７１】
図５（ａ）に示すように、インク色のうち、Ｃ（シアン）のインク残量４０１Ｃ、Ｍ（マゼンタ）のインク残量４０１Ｍ、Ｙ（イエロー）のインク残量４０１Ｙについては、インク残量が第１の所定量を超えているので、クリーニング周期は、“１０００”（枚）に設定され、印刷処理にも用いられる。そのため、Ｃ（シアン）、Ｍ（マゼンタ）、Ｙ（イエロー）のインク消費の速度は速い。
【００７２】
一方、Ｋ（ブラック）のインクのインク残量４０１Ｋについては、インク残量が第１の所定量以下となっているので、クリーニング周期は、“３０００”（枚）に設定され、印刷処理には用いられない。そのため、Ｋ（ブラック）のインク消費の速度は、Ｃ（シアン）、Ｍ（マゼンタ）、Ｙ（イエロー）のインク消費の速度に比較して遅い。
【００７３】
次に、図５（ｂ）では、各インクのインク残量が減少し、Ｋ（ブラック）に加えて、Ｙ（イエロー）のインク残量が第１の所定量以下となっている。そのため、Ｙ（イエロー）のクリーニング周期が、“３０００”（枚）に設定され、印刷処理には用いられなくなる。これにより、Ｋ（ブラック）に加え、Ｙ（イエロー）のインク消費の速度は、Ｃ（シアン）、Ｍ（マゼンタ）のインク消費の速度に比較して遅くなる。
【００７４】
さらに、図５（ｃ）では、各インクのインク残量が減少し、全てのインクのインク残量が第１の所定量以下となっている。そのため、全てのインクのクリーニング周期が、“３０００”（枚）に設定され、印刷処理には用いられなくなる。これにより、印刷不可となり、全色について、インクカートリッジの交換が必要になる。
【００７５】
このように、インク色毎に、第１の所定量以下となるまでは、通常の速度でインクが消費し、第１の所定量以下となると、インクを節約して遅い速度でインクを消費させるので、全色についてほぼ同時期に第２の所定量に近づく、または到達することになる。そのため、ユーザは、全色のインクカートリッジに対して同時に交換すればよいので、インクカートリッジの交換作業の回数を極力減らすことができる。
【符号の説明】
【００７６】
１…インクジェット印刷装置
１０…制御部
１０２…通信インターフェース
１１０Ｃ，１１０Ｍ，１１０Ｙ，１１０Ｋ…インクジェットヘッド
１２０…下流タンク
１３０…上流タンク
１５１Ｃ，１５１Ｍ，１５１Ｙ，１５１Ｋ…インクジェットボトル
１６１…温度調節器
２０１…通信インターフェース
２０２…操作パネル
３０１…印刷ジョブ受信部
３０２…印刷ジョブ記憶部
３０３…画像処理部（色変換手段，選択手段）
３０４…色空間テーブル記憶部
３０５…印字制御部
３０６…操作信号取得部
３０７…インク残量算出部
３０８…クリーニング制御部
３０９…クリーニング部
３１１…インク残量記憶部
３１２…判定部
【図１】
2015208973.tif 000003
【図２】
2015208973.tif 000004
【図３】
2015208973.tif 000005
【図４】
2015208973.tif 000006
【図５】
2015208973.tif 000007